(57)【要約】【課題】  無駄な電力の消費を抑えることが可能な録画装置を提供する。【解決手段】  設定した録画予約の全ての録画を完了した後に、外部からの電源供給を遮断する制御手段を録画装置に備える。電源供給の遮断を行うか否かは、録画予約を設定するときに２つの項目から選択設定し、この選択に基づいて録画装置の電源供給を制御手段が遮断する。これにより、長時間に亘り録画装置の操作ができないとしても、予約した全ての録画が完了した後で電源供給を遮断し、録画装置の無駄な電力の浪費を抑えることができる。【選択図】      図１
2007035127.tif 000002
【特許請求の範囲】
【請求項１】
予め１つ又は２つ以上の録画予約を設定し、これらの録画予約の全てを完了した録画後に外部からの電源供給を遮断する制御手段を備えた録画装置において、前記電源供給の遮断を行うか否かを、録画予約を設定するときに２つの項目から選択して設定し、この選択に基づいて前記制御手段が前記録画装置の電源供給を遮断するように構成したことを特徴とする節電機能を備えた録画装置。
【請求項２】
前記録画装置の電源供給の遮断を遠隔操作可能なリモコンにより遠隔操作して設定することを特徴とする請求項１記載の節電機能を備えた録画装置。
【請求項３】
前記録画装置に構成した画面を表示する表示部に、録画予約を設定する選択画面を表示させ、前記リモコンの選択キーにより電源供給の遮断を行うか否かを選択するように構成したことを特徴とする請求項２記載の節電機能を備えた録画装置。
【請求項４】
前記録画装置と接続した画面を表示する表示部に、録画予約を設定する選択画面を表示させ、前記リモコンの選択キーにより電源供給の遮断を行うか否かを選択するように構成したことを特徴とする請求項２記載の節電機能を備えた録画装置。
【請求項５】
前記録画装置は、全ての録画の終了後に節電などのために待機モードになる装置であることを特徴とする請求項１〜４の何れか１項記載の節電機能を備えた録画装置。
【請求項６】
予め１つ又は２つ以上の録画予約を設定し、これらの録画予約の全てを完了した録画後に外部からの電源供給を遮断する制御手段を備えたハードディスク装置において、録画予約を設定する画面を表示部に表示し、前記電源供給の遮断を行うか否かを前記表示部に表示された２つの項目から選択して設定し、この選択に基づいて前記制御手段が前記録画装置の電源供給を遮断するように構成したことを特徴とする節電機能を備えたハードディスク装置。
【発明の詳細な説明】
【技術分野】
【０００１】
本発明は、電力の消費を抑えた節電機能を備えた録画装置に関し、特に録画終了後に待機モードになることで電力の消費を招く録画装置への電力供給を遮断して無駄な電力の消費を防止する節電機能を備えたハードディスクなどの録画装置に関する。
【背景技術】
【０００２】
従来から、ＤＶＤレコーダ、ＨＤＤレコーダなどのテレビ番組を録画する装置には、録画を予約する機能を有するものが一般的に用いられている。こうした装置で録画を予約する手順は、予約方法の違いや装置の製造メーカの違いにより多少の差異はあるものの、録画の予約をセットすると、「スタンバイモード」になる装置が多数提案されている。ＤＶＤユニットとＨＤＤユニットを備えた複合機などでは、ＤＶＤ又はＨＤＤのどちらか一方に録画予約した際、録画予約をしていない他方で、録画したデータの再生などの通常使用をできるようにするために、「スタンバイモード」にならない機種もある。
【０００３】
ところで、「スタンバイモード」は「待機モード」とも呼ばれ、録画予約を実行するため、或いは録画予約を解除して通常使用状態に何時でも戻せるようにするために、録画予約されても最低限必要な回路には通電し続ける一種の節電モードであり、節電モードにおける最低限必要な回路として、コンセントからの交流電流を直流電流に変換し、録画装置に備えるマイコンに電源回路を介して電源を供給する一方で、電源の供給の不要な回路へは電源供給を行わず、また、リモコン送信機により録画装置を操作するために、「スタンバイモード」から「通常動作モード」に復帰させるために、「スタンバイモード」となっている録画装置の電源回路には常に電源供給が行われている。
【０００４】
また、従来から利用されている一般的なテレビジョン受像機においては、その本体にコンセントからの交流電源を大元から機械的に切るためのスイッチを備えており、スイッチを切ることで電量の消費をゼロにすることが可能であるが、リモコンによりテレビジョン受像機本体の電源をオフにしたとしても、コンセントからの大元の交流電源を切るものではないため、リモコンの電源キーを操作しても、前述した「待機モード」となり電力が消費されてしまう。また、こうした問題などを回避するために、電源回路などに電源を供給し「スタンバイモード」にあるテレビジョン受像機本体の電源を自動的に切って電力の消費をゼロにするもの、また、特許文献１には、機械的入力などに従って電源供給回路への電力供給を遮断するテレビジョン受像機、特許文献２には、必要に応じて主電源をオフにして消費電力を低減する電源回路、特許文献３には、スタンバイモードなどの待機の後、所定時間経過後に、テレビセットを停止状態にするテレビジョン受像機が開示されている。
【０００５】
【特許文献１】特開２０００−２８７１４６号公報
【特許文献２】特開２０００−２７８８６２号公報
【特許文献３】特開２０００−２４４８４４号公報
【発明の開示】
【発明が解決しようとする課題】
【０００６】
しかし、前述したような録画装置では、番組の録画予約がセットされると、「スタンバイモード」になるが、予約された番組の録画開始時間に放送を受信し番組を録画する「録画モード」になり、その録画の終了時に再び「スタンバイモード」になるので、このような録画予約機能は、日時の異なる複数の番組の録画予約をセットした後、録画予約をセットした全ての番組の録画が終了するまで、「スタンバイモード」→「録画モード」→「スタンバイモード」を繰り返し、最終的に「スタンバイモード」となるので、録画中ではない「スタンバイモード」であっても電力は消費されてしまい、例えば、多くの番組の録画予約をして、長期の旅行などに行った時などには、全ての録画が終了しても、録画装置の「スタンバイモード」が長時間に亘り継続されるため、消費電力の浪費を招き好ましいと言えるものではない。
【０００７】
本発明は上記課題に鑑みてなされたものであり、無駄な電力の消費を可及的抑え、且つその設定を簡単に行うことが可能な節電機能を備えた録画装置及び節電機能を備えたハードディスク装置を提供することを目的とする。
【課題を解決するための手段】
【０００８】
請求項１に係る節電機能を備えた録画装置は、予め１つ又は２つ以上の録画予約を設定し、これらの録画予約の全てを完了した録画後に外部からの電源供給を遮断する制御手段を備えた録画装置において、前記電源供給の遮断を行うか否かを、録画予約を設定するときに２つの項目から選択して設定し、この選択に基づいて前記制御手段が前記録画装置の電源供給を遮断するように構成したことを特徴とする。
【０００９】
請求項１の構成により、外部からの録画装置への電源供給を行うか否かを、２つの項目を択一的に選ぶことで簡単に設定することができ、例えば、録画予約を設定した後に、旅行などのために長時間に亘り録画装置の操作ができないとしても、制御手段が、録画時に通電される録画装置を予約した全ての録画が完了した時点で、外部からの電源供給を遮断することができる。
【００１０】
請求項２に係る節電機能を備えた録画装置は、請求項１記載の節電機能を備えた録画装置において、前記録画装置の電源供給の遮断を遠隔操作可能なリモコンにより遠隔操作して設定することを特徴とする。
【００１１】
請求項２の構成により、離れたところからリモコンで録画装置を遠隔操作できるので、録画装置への電源供給を遮断する設定を、録画装置を直接操作することなく容易に行うことが可能となる。
【００１２】
請求項３に係る節電機能を備えた録画装置は、請求項２記載の節電機能を備えた録画装置において、前記録画装置に構成した画面を表示する表示部に、録画予約を設定する選択画面を表示させ、前記リモコンの選択キーにより電源供給の遮断を行うか否かを選択するように構成したことを特徴とする。
【００１３】
請求項３の構成により、リモコンの選択キーにより表示部に表示された選択画面を見ながら、電源を遮断するか否かの二つの選択の内、電源を遮断する方を選んで録画装置の電源を遮断する設定を行うことができるので、録画装置の電源を遮断する設定操作を目視で確認しながら行うことが可能となる。
【００１４】
請求項４に係る節電機能を備えた録画装置は、請求項２記載の節電機能を備えた録画装置において、前記録画装置と接続した画面を表示する表示部に、録画予約を設定する選択画面を表示させ、前記リモコンの選択キーにより電源供給の遮断を行うか否かを選択するように構成したことを特徴とする。
【００１５】
請求項４の構成により、リモコンの選択キーにより表示部に表示された選択画面を見ながら、電源を遮断するか否かの二つの選択の内、電源を遮断する方を選んで録画装置の電源を遮断する設定を行うことができるので、録画装置の電源を遮断する設定操作を目視で確認しながら行うことが可能となる。
【００１６】
請求項５に係る節電機能を備えた録画装置は、請求項１〜４の何れか１項記載の節電機能を備えた録画装置において、前記録画装置は、全ての録画の終了後に節電などのために待機モードになる装置であることを特徴とする節電機能を備えた録画装置。
【００１７】
請求項５の構成により、録画終了後に待機モードとなった録画装置の電源を完全に遮断するので、予約された全ての録画終了後、電力の消費をゼロにすることができる。
【００１８】
請求項６に係る節電機能を備えたハードディスク装置は、予め１つ又は２つ以上の録画予約を設定し、これらの録画予約の全てを完了した録画後に外部からの電源供給を遮断する制御手段を備えたハードディスク装置において、録画予約を設定する画面を表示部に表示し、前記電源供給の遮断を行うか否かを前記表示部に表示された２つの項目から選択して設定し、この選択に基づいて前記制御手段が前記録画装置の電源供給を遮断するように構成したことを特徴とする。
【００１９】
請求項６の構成により、ハードディスク装置への電源供給を行うか否かを、２つの項目を択一的に選ぶことで簡単に設定することができ、例えば、録画予約を設定した後に、旅行などのために長時間に亘り録画装置の操作ができないとしても、制御手段が、録画時に通電されるハードディスク装置を予約された全ての録画が完了した時点で、外部からの電源供給を遮断でき、表示部に表示された選択画面を見ながら、電源を遮断するか否かの二つの選択の内、電源を遮断する方を選んでハードディスク装置の電源を遮断する設定を行うことができるので、ハードディスク装置の電源を遮断する設定操作を目視で確認しながらできるので、設定の誤操作を防止できると共に取り扱いが容易となる。
【発明の効果】
【００２０】
請求項１に係る節電機能を備えた録画装置によれば、予め１つ又は２つ以上の録画予約を設定し、これらの録画予約の全てを完了した録画後に外部からの電源供給を遮断する制御手段を備えた録画装置において、前記電源供給の遮断を行うか否かを、録画予約を設定するときに２つの項目から選択して設定し、この選択に基づいて前記制御手段が前記録画装置の電源供給を遮断するように構成したので、例えば、長時間に亘り録画装置の操作ができないとしても、予約した全ての録画が完了した時点で、外部からの電源供給を遮断するので、録画装置の無駄な電力の浪費を抑えることができる。
【００２１】
請求項２に係る節電機能を備えた録画装置によれば、請求項１記載の節電機能を備えた録画装置において、前記録画装置の電源供給の遮断を遠隔操作可能なリモコンにより遠隔操作して設定できるので、直接操作することなく離れたところから容易に録画装置の操作を行って電源供給を遮断することが可能となる。
【００２２】
請求項３に係る節電機能を備えた録画装置によれば、請求項２記載の節電機能を備えた録画装置において、前記録画装置に構成した画面を表示する表示部に、録画予約を設定する選択画面を表示させ、前記リモコンの選択キーにより電源供給の遮断を行うか否かを選択するように構成したので、録画装置の電源を遮断する設定操作を、表示部を目視で確認しながらできるので、設定の誤操作を防止できると共に取り扱いが容易となる。
【００２３】
請求項４に係る節電機能を備えた録画装置によれば、請求項２記載の節電機能を備えた録画装置において、前記録画装置と接続した画面を表示する表示部に、録画予約を設定する選択画面を表示させ、前記リモコンの選択キーにより電源供給の遮断を行うか否かを選択するように構成したので、録画装置の電源を遮断する設定操作を、表示部を目視で確認しながらできるので、設定の誤操作を防止できると共に取り扱いが容易となる。
【００２４】
請求項５に係る節電機能を備えた録画装置によれば、請求項１〜４の何れか１項記載の節電機能を備えた録画装置において、前記録画装置は、全ての録画の終了後に節電などのために待機モードになる装置であり、こうした待機モードとなった録画装置の電力の消費を、全ての録画終了後にゼロにすることで、電力の浪費を防止することができる。
【００２５】
請求項６に係る節電機能を備えたハードディスク装置によれば、予め１つ又は２つ以上の録画予約を設定し、これらの録画予約の全てを完了した録画後に外部からの電源供給を遮断する制御手段を備えたハードディスク装置において、録画予約を設定する画面を表示部に表示し、前記電源供給の遮断を行うか否かを前記表示部に表示された２つの項目から選択して設定し、この選択に基づいて前記制御手段が前記録画装置の電源供給を遮断するように構成したので、例えば、長時間に亘りハードディスク装置の操作ができないとしても、予約した全ての録画が完了した時点で、外部からの電源供給を遮断するので、ハードディスク装置の無駄な電力の浪費を抑えることができ、且つハードディスク装置の電源を遮断する設定操作を、表示部を目視で確認しながらできるので、設定の誤操作を防止できると共に取り扱いが容易となる。
【発明を実施するための最良の形態】
【００２６】
以下、本発明を実施するための最良の形態としての実施例を図１〜図５を参照して説明する。もちろん、本発明は、その発明の趣旨に反さない範囲で、実施例において説明した以外のものに対しても容易に適用可能なことは説明を要するまでもない。
【実施例１】
【００２７】
図１〜図３は、本発明の実施例１を示し、図１はテレビ放送などの番組を録画可能な録画装置の構成を示すブロック図、図２は各種設定項目を示す設定画面の説明図、図３は録画予約をセットした後の処理手順を示すフローチャートである。図１を参照しながら、録画装置１の構成について説明すると、２は録画装置の全体の各種制御を行うマイコンなどの制御手段、３は放送信号が録画装置１に入力されるアンテナ端子、４はアンテナ端子３から入力さした放送信号を受信するチューナ、５はチューナ４で受信した信号の切り替え及映像の復調処理を行って制御手段２からの信号に基づいて映像を表示部６に表示する入出力部、７はユーザによる入力操作をリモコン受信部８に出力するキー入力手段たるリモコン、８はリモコン７の入力操作の信号を受信し、その受信した信号を制御手段２に出力するリモコン受信部であり、制御手段１は、ユーザがリモコン７或いは操作部９で操作した録画予約などの信号の処理を行い、ディスクドライブ１０及び信号処理回路１１を構成するＨＤＤユニットなどの記録再生部１２でデータとして録画を行い、録画時間の終了後に制御手段２からの信号により電源スイッチ１３を切ることで、図示しないコンセントから電源プラグ１４を介して供給される電源回路１５への通電を遮断するように制御する。
【００２８】
また、制御手段２は、リモコン受信部８又は操作部９からの信号による録画予約データに基づいて、予約するチャンネル、日時、予約時間などの予約情報を、図２に示すメニュー画面として、表示部６にＯＳＤ（On Screen Display）表示するための処理を行い、制御手段２に構成する計時手段１６は、メモリ１７に記憶されたデータに基づいて、予約設定時の時刻の管理や各種制御に伴う時刻の管理や時刻のカウントを行い、ユーザの設定した所定時間に録画予約の処理を行う。
【００２９】
本実施例の録画装置１は、ユーザがリモコン７や操作部９の操作により表示部６に録画予約を設定するためのメニュー表示画面を表示するとき、例えば、リモコン７のメニューキー７ａを押したときには、図２（ａ）に示すように、表示部６にメニュー表示画面Ａが表示される。メニュー表示画面Ａには、時刻設定ａ１、チャンネル設定ａ２、録画予約設定ａ３などの設定項目が表示され、リモコン７の操作キーとしての選択キー７ｂによって、ユーザが希望する設定項目を選択し録画予約設定をするものであり、本実施例では、録画予約設定ａ３に合わせて決定キー７ｃを操作すると、図２（ｂ）で示すように録画予約設定画面Ｂとなる。録画予約設定画面Ｂでは録画予約ｂ１と節電設定ｂ２の選択が可能であり、ここで選択キー７ｂによって、録画予約ｂ１を選択すればチャンネル設定ａ２で設定したチャンネルでの録画を行え、節電設定ｂ２を選択すれば、図２（ｃ）で示すように節電設定画面Ｃとなる。録画装置１のすべての録画予約の録画を終了した後に、コンセントなどからによる外部からの電源供給を切らない際は、節電設定画面Ｃで選択キー７ｂにより「いいえ」ｃ２を選択し、一方、外部からの電源供給を切る際は、選択キー７ｂにより、「はい」ｃ１を選択することで、すべての録画予約の録画を終了した後に、コンセントからの電源供給を、制御手段２が電源スイッチ１３を直ちに切ることによりスタンバイモードなどの待機モードになることなく電源を遮断することができる。
【００３０】
次に、図３のフローチャートを用いて録画予約をセットした後の録画装置の動作処理手順について説明する。リモコン７のカーソルキーの操作により録画装置１への録画予約を行うと、この録画装置１はスタンバイモードとなる（ステップ１）。そして、録画予約した開始時間の一定の時間前になったか否かを制御手段２が判別し、一定時間前でない場合にはステップ２で一定の時間前になったか否かを継続して判別し、一方、一定時間前になった場合には、録画機能を有する記録再生部１２を起動（ステップ３）し、録画開始時間になったと判別（ステップ４）された際には、制御手段２の指令により録画が自動的に開始される（ステップ５）。そして、録画の終了時間になると、制御手段２が記録再生部１２への録画を停止（ステップ７）させ、セットされた録画予約の全ての録画が終了していて（ステップ８）、且つ、録画予約時に、図２（ｃ）にて、「はい」ｃ１を選択していれば、コンセントからの電源供給を制御手段２が切る。
【００３１】
なお、ステップ８で全ての録画予約の録画が終了していない場合には、スタンバイモード（ステップ１）に戻り、ステップ９で節電設定が選択されてなく「いいえ」ｃ２が選択されている際には、ステップ１１に進みユーザが操作を行うまでスタンバイモードが継続される。また、ステップ９で節電設定が選択するために「はい」ｃ１が選択されている際には、コンセントから電源回路１５への電源供給を制御手段２が電源スイッチ１３を切ることで、録画装置１への外部からの電源供給を遮断する(ステップ１０)。
【００３２】
すなわち、本実施例における録画装置１は、制御手段２が予めセットした録画予約の録画を全て完了した後に、電源の供給を切るように制御するので、例えば、旅行などにより、比較的長時間に亘り録画装置１の無操作状態が続く場合などに、録画装置１の録画予約を行って出かけたとしても、全ての録画の終了後に無駄な電力が消費されないよう、旅行から帰る以前の全ての録画終了の直後に電源供給が遮断されるので、録画装置１を操作できない特定の時間の電力の消費はゼロとなり、無駄な電力の消費を抑えることができる。
【００３３】
さらに、電源回路１５への電源供給を行うか否かを、録画予約をセットする際に、表示部６に表示された節電設定画面Ｃで簡単に設定できるようにしたので、ユーザの用途に応じて、電源供給を遮断するか否かを、適宜、「はい」ｃ１と「いいえ」ｃ２との２つの選択項目から簡単に選択して設定することができるので、利便性が向上すると共に操作性に優れる。
【００３４】
以上のように、本実施例におけるディスクドライブ１０を備えたハードディスク装置などの録画装置１は、予め１つ又は２つ以上の録画予約をリモコン７などで設定し、制御手段２により録画予約の全ての録画を完了した録画の直後に、外部からの電源供給を遮断するので、録画装置１が無駄に電力浪費することを抑えることができる。さらに、外部からの電源供給の遮断を行うか否かは、録画予約を設定するときに、表示部６に表示した節電設定画面Ｃの「はい」ｃ１又は「いいえ」ｃ２の２つの項目からリモコン７の各種キーによる選択操作により設定し、この選択でユーザが電源供給を遮断する「はい」ｃ１の方を選ぶと、この「はい」ｃ１の選択に基づいて、制御手段２が録画装置１の電源供給を遮断する。つまり、録画装置１への電源供給を行うか否かを、択一的な２つの項目から簡単に選んで設定できるので操作性に優れる。また、「はい」ｃ１と「いいえ」ｃ２の表示された節電設定画面Ｃを視認しながら操作することにより、その誤操作を防止できると共に操作性が容易となるので利便性に優れる。
【００３５】
さらに、録画予約を設定した後に、旅行などのために長時間に亘り録画装置１の操作ができなかったり、録画装置１の電源の消し忘れなどがあったとしても、録画時に通電され電源の供給される録画装置１を予約した全ての録画が完了した時点で、制御手段２により録画装置１への外部からの電源供給を自動的に遮断するので、無駄な電力の浪費を抑えることができる。さらに、録画装置１と離れたところからリモコン７で録画装置１の電源供給を遮断する設定を遠隔操作できるので、録画装置１を直接操作することなく容易に操作を行うことが可能となる。
【実施例２】
【００３６】
図４は本発明の実施例２における節電設定画面を示す説明図、図５は録画予約をセットした後の処理手順を示すフローチャートであり、前記実施例と同一機能を有する部分には、同一符号を付し、重複する部分の説明を省略し、異なる部分についてのみ説明する。
【００３７】
本実施例２では、前記実施例１と同様に節電設定ｂ２を選択すると、図４（ｄ）に示す節電設定画面Ｄで、すべての録画予約の録画を終了した後に、録画装置１の無操作状態が、ユーザが設定した例えば３時間などの所定時間続いた後に、コンセントからの電源供給を遮断するように設定できるもので、つまり、電源供給を遮断するための時間を、ユーザが、図４に示す矩形の入力項目ｄ１に入力設定できるようになっている。これにより、ステップ９で「はい」を選択すると、図５に示すように、スタンバイモードとなり（ステップ１１，１２）、スタンバイモードにある場合に、リモコン７などのキー入力などによる録画装置１の操作があれば（ステップ１３）、ステップ１４に進みキー入力に従い制御され、また、ステップ１３にて、リモコン７などのキー入力などによる録画装置１の操作がなく、節電設定画面Ｄの入力項目ｄ１で設定した時間が経過した（ステップ１５）際には、制御手段２が外部からの電源供給を、電源スイッチ１３を切ることにより遮断するので（ステップ１６）、ユーザの希望に応じて電源を遮断する時間を任意に設定することが可能となる。なお、ステップ１５にて、節電設定画面Ｄで設定した時間が経過していない際には、ステップ１３に戻る。
【００３８】
以上のように、本実施例における録画装置１によれば、全ての録画の終了後に節電などのためにスタンバイモード（待機モード）になっても、予約された全ての録画終了後にスタンバイモードになっている録画装置１の電源を、所定時間経過後に完全に遮断することで、電力の消費をゼロにすることができ電力の浪費を確実に防止することができる。
【００３９】
以上、本発明の各実施例について詳述したが、本発明の要旨の範囲内で種々の変形実施が可能である。例えば、実施例２では節電設定画面Ｄでの入力項目ｄ１の設定時間を３時間に設定した例を示したが、勿論、この時間に限定されるものでなく何時でも可能である。また、表示部６は録画装置１に構成されているものについて説明したが、特にこれに限定するものではなく、録画装置１に備えた入出力端子２０を用いて、録画装置１に画面を表示可能なモニタを接続し、このようなモニタの表示部６に前述した各種画面を表示してもよい。また、録画装置としては、ハードディスク装置だけでなくＤＶＤ装置などであってもよいことは言うまでもなく、録画予約機能を持った種々の装置に適用することも可能である。
【図面の簡単な説明】
【００４０】
【図１】実施例１における録画装置の構成を示すブロック図である。
【図２】同上、各種設定項目を示す設定画面の説明図であり、図２（ａ）はメニュー表示画面、図２（ｂ）は予約設定画面、図２（ｃ）節電設定画面を示している。
【図３】同上、録画予約をセットした後の処理手順を示すフローチャートである。
【図４】実施例２における節電設定画面を示す説明図である。
【図５】同上、録画予約をセットした後の処理手順を示すフローチャートである。
【符号の説明】
【００４１】
１  録画装置（ハードディスク装置）
２  制御手段
６  表示部
７  リモコン
７ｂ  選択キー
【図１】
2007035127.tif 000003
【図２】
2007035127.tif 000004
【図３】
2007035127.tif 000005
【図４】
2007035127.tif 000006
【図５】
2007035127.tif 000007